(57)【要約】【課題】可用性の高い認証システムを提供する。【解決手段】鍵情報及び扉ＩＤ情報を有する鍵装置２ａと、鍵情報及び扉ＩＤ情報の組を複数含む認証情報を有し、鍵装置の認証を行う複数の認証装置４ａ，４ｂと、扉ＩＤ情報によって識別され、認証装置による認証の成立に応じて認証装置から送信された開扉要求に応じて開扉する複数の扉装置５ａ，５ｂとを備え、鍵装置２ａが有する鍵情報及び扉ＩＤ情報を含む認証要求を、複数の認証装置４ａ，４ｂにそれぞれ送信する。【選択図】図１
2012026223.tif 000002
【特許請求の範囲】
【請求項１】
鍵情報及び扉ＩＤ情報を有する鍵装置と、
前記鍵情報及び前記扉ＩＤ情報の組を複数含む認証情報を有し、前記鍵装置の認証を行う複数の認証装置と、
前記扉ＩＤ情報によって識別され、前記認証装置による認証の成立に応じて前記認証装置から送信された開扉要求に応じて開扉する複数の扉装置とを備える認証システムであって、
前記鍵装置が有する前記鍵情報及び前記扉ＩＤ情報を含む認証要求を、前記複数の認証装置にそれぞれ送信する認証要求送信手段
を備え、
前記認証装置は、前記認証情報が、前記認証要求に含まれる前記鍵情報及び前記扉ＩＤ情報の組を含む場合において、前記鍵装置に対する前記認証を成立と判定し、前記認証要求に含まれる扉ＩＤ情報により特定される前記扉装置に前記開扉要求を送信し、
前記扉装置は、前記複数の認証装置の内、何れかの認証装置から送信される前記開扉要求に応じて開扉することを特徴とする認証システム。
【請求項２】
前記複数の認証装置のネットワークアドレスを有する登録サーバを更に備え、
前記登録サーバは、前記複数の認証装置のネットワークアドレス宛に前記認証要求をそれぞれ送信することを特徴とする請求項１に記載の認証システム。
【請求項３】
前記鍵装置が、複数の扉ＩＤ情報を更に有し、前記複数の扉ＩＤ情報の何れかを指定する扉選択部を更に備え、
前記認証要求送信手段は、前記鍵情報と、前記指定された扉ＩＤ情報とを含む認証要求を、前記複数の認証装置にそれぞれ送信することを特徴とする請求項１に記載の認証システム。
【請求項４】
前記鍵装置が、外部と無線通信する通信部を更に備え、
前記鍵装置は、前記通信部を介して前記複数の認証装置に前記認証要求をそれぞれ送信することを特徴とする請求項１又は３に記載の認証システム。
【請求項５】
前記扉装置は、前記扉装置の開閉を検知する扉センサを更に備え、
前記鍵装置は、メッセージを表示する表示装置を更に備え、
前記扉装置は、前記扉センサが前置扉装置の開閉を検知したことに応じて、自身を特定する扉ＩＤ情報を含み、前記扉装置の開閉を通知する開閉通知を前記複数の認証装置にそれぞれ送信し、
前記複数の認証装置は、前記開閉通知を受信したことに応じて、前記認証情報の内、前記開閉通知含まれる扉ＩＤ情報と組になっている鍵情報が特定する鍵装置に前記開閉通知を転送し、
前記鍵装置は、前記開閉通知を受信したことに応じて、前記扉装置が開閉したことを通知するメッセージを表示することを特徴とする請求項４に記載の認証システム。
【請求項６】
前記扉装置は、入退室者からの入力により、自身を特定する扉ＩＤ情報を含み、開扉が要求されたことを通知する開扉要求通知を、複数の認証装置にそれぞれ送信する開扉要求装置を更に備え、
前記鍵装置は、メッセージを表示する表示装置を更に備え、
複数の認証装置は、前記開扉要求通知を受信したことに応じて、前記認証情報の内、前記開扉要求通知に含まれる扉ＩＤ情報と組になっている鍵情報が特定する鍵装置に前記開扉要求通知を転送し、
前記鍵装置は、前記開扉要求通知を受信したことに応じて、前記扉装置が開扉を要求されたことを通知するメッセージを表示することを特徴とする請求項４に記載の認証システム。
【発明の詳細な説明】
【技術分野】
【０００１】
本発明は、可用性の高い認証システムに関する。
【背景技術】
【０００２】
鍵装置、認証装置、扉装置からなる、複数のサブシステムから構成される入退室管理システムにおいて、サブシステムで連続した入退室を禁止するアンチパスバック制御を、連携して制御するシステムが提案されている（特許文献１参照）。
【０００３】
しかしながら、サブシステム内の装置間で行われる連係動作を、他のサブシステムの装置との間で行うことができない。
【先行技術文献】
【特許文献】
【０００４】
【特許文献１】特開２００８−１８１４０４号公報
【発明の概要】
【発明が解決しようとする課題】
【０００５】
本発明は、複数の認証装置で認証処理をし、可用性の高い認証システムを提供することを目的とする。
【課題を解決するための手段】
【０００６】
上記目的を達成するために、本発明の第１の態様は、鍵情報及び扉ＩＤ情報を有する鍵装置と、鍵情報及び扉ＩＤ情報の組を複数含む認証情報を有し、鍵装置の認証を行う複数の認証装置と、扉ＩＤ情報によって識別され、認証装置による認証の成立に応じて認証装置から送信された開扉要求に応じて開扉する複数の扉装置とを備える認証システムであって、鍵装置が有する鍵情報及び扉ＩＤ情報を含む認証要求を、複数の認証装置にそれぞれ送信する認証要求送信手段を備える認証システムであることを要旨とする。本発明の第１の態様に係る認証システムにおいては、  認証装置は、認証情報が、認証要求に含まれる鍵情報及び扉ＩＤ情報の組を含む場合において、鍵装置に対する認証を成立と判定し、認証要求に含まれる扉ＩＤ情報により特定される扉装置に開扉要求を送信し、  扉装置は、複数の認証装置の内、何れかの認証装置から送信される開扉要求に応じて開扉することを特徴とする。
【０００７】
また、本発明の第１の態様に係る認証システムにおいては、複数の認証装置のネットワークアドレスを有する登録サーバを更に備え、登録サーバは、複数の認証装置のネットワークアドレス宛に認証要求をそれぞれ送信する。
【０００８】
また、本発明の第１の態様に係る認証システムにおいては、鍵装置が、複数の扉ＩＤ情報を更に有し、複数の扉ＩＤ情報の何れかを指定する扉選択部を更に備え、認証要求送信手段は、鍵情報と、指定された扉ＩＤ情報とを含む認証要求を、複数の認証装置にそれぞれ送信する。
【０００９】
また、本発明の第１の態様に係る認証システムにおいては、鍵装置が、外部と無線通信する通信部を更に備え、鍵装置は、通信部を介して複数の認証装置に認証要求をそれぞれ送信する。
【００１０】
また、本発明の第１の態様に係る認証システムにおいては、扉装置は、扉装置の開閉を検知する扉センサを更に備え、鍵装置は、メッセージを表示する表示装置を更に備え、扉装置は、扉センサが前置扉装置の開閉を検知したことに応じて、自身を特定する扉ＩＤ情報を含み、扉装置の開閉を通知する開閉通知を複数の認証装置にそれぞれ送信し、複数の認証装置は、開閉通知を受信したことに応じて、認証情報の内、開閉通知含まれる扉ＩＤ情報と組になっている鍵情報が特定する鍵装置に開閉通知を転送し、鍵装置は、開閉通知を受信したことに応じて、扉装置が開閉したことを通知するメッセージを表示する。
【００１１】
また、本発明の第１の態様に係る認証システムにおいては、扉装置は、入退室者からの入力により、自身を特定する扉ＩＤ情報を含み、開扉が要求されたことを通知する開扉要求通知を、複数の認証装置にそれぞれ送信する開扉要求装置を更に備え、鍵装置は、メッセージを表示する表示装置を更に備え、複数の認証装置は、開扉要求通知を受信したことに応じて、認証情報の内、開扉要求通知に含まれる扉ＩＤ情報と組になっている鍵情報が特定する鍵装置に開扉要求通知を転送し、鍵装置は、開扉要求通知を受信したことに応じて、扉装置が開扉を要求されたことを通知するメッセージを表示する。
【発明の効果】
【００１２】
本発明によれば、複数の認証装置で認証処理をし、可用性の高い認証システムを提供することができる。
【図面の簡単な説明】
【００１３】
【図１】本発明の第１の実施の形態に係る認証システムを説明する模式的なブロック図である。
【図２】本発明の第１の実施の形態に係る認証システムに用いる鍵装置が有する鍵情報を図示した一例である。
【図３】図３（ａ）は、本発明の第１の実施の形態に係る認証システムに用いる鍵装置が有する扉ＩＤ情報を図示した一例である。図３（ｂ）は、本発明の第１の実施の形態に係る認証システムに用いる他の鍵装置が有する扉ＩＤ情報を時視した一例である。
【図４】図４（ａ）は、本発明の第１の実施の形態に係る認証システムに用いる認証装置が有する認証情報及び扉情報を図示した一例である。図４（ｂ）は、本発明の第１の実施の形態に係る認証装置に用いる他の認証装置が有する認証情報及び扉情報を図示した一例である。
【図５】本発明の第１の実施の形態に係る認証システムの動作を説明するシーケンス図である。
【図６】本発明の第１の実施の形態に係る認証システムに用いる認証装置の動作を説明するフローチャートである。
【図７】本発明の第２の実施の形態に係る認証システムを説明する模式的なブロック図である。
【図８】図８（ａ）は、本発明の第２の実施の形態に係る認証システムに用いる認証装置が有する登録サーバ情報を図示した一例である。図８（ｂ）は、本発明の第２の実施の形態に係る認証システムに用いる他の認証装置が有する登録サーバ情報を図示した一例である。
【図９】本発明の第２の実施の形態に係る認証システムに用いる登録サーバが有する登録情報を図示した一例である。
【図１０】本発明の第２の実施の形態に係る認証システムの動作を説明するシーケンス図である。
【図１１】本発明の第２の実施の形態に係る認証システムに用いる登録サーバの動作を説明するフローチャートである。
【図１２】本発明の第３の実施の形態に係る認証システムに用いる鍵装置を説明する模式的なブロック図である。
【図１３】本発明の第３の実施の形態に係る認証システムの動作を説明するシーケンス図である。
【図１４】本発明の第４の実施の形態に係る認証システムに用いる鍵装置を説明するフローチャートである。
【図１５】本発明の第４の実施の形態に係る認証システムに用いる鍵装置が有する鍵情報を図示した一例である。
【図１６】本発明の第４の実施の形態に係る認証システムの動作を説明するシーケンス図である。
【図１７】本発明の第５の実施の形態に係る認証システムを説明する模式的なブロック図である。
【図１８】本発明の第５の実施の形態に係る認証システムに用いる扉装置が有する認証装置情報を図示した一例である。
【図１９】本発明の第５の実施の形態に係る認証システムの動作を説明するシーケンス図である。
【図２０】本発明の第６の実施の形態に係る認証システムを説明する模式的なブロック図である。
【図２１】本発明の第６の実施の形態に係る認証システムの動作を説明するシーケンス図である。
【発明を実施するための形態】
【００１４】
次に、図面を参照して、本発明の第１〜第６の実施の形態を説明する。以下の図面の記載において、同一又は類似の部分には同一又は類似の符号を付している。但し、以下に示す実施の形態は、本発明の技術的思想を具体化するためのシステム、このシステムに用いられる装置や方法を例示するものであって、本発明の技術的思想は、下記の実施の形態に例示したシステム、システムに用いられる装置や方法に特定するものでない。本発明の技術的思想は、特許請求の範囲に記載された技術的範囲内において、種々の変更を加えることができる。
【００１５】
（第１の実施の形態）
本発明の第１の実施の形態に係る認証システムは、図１に示すように、ネットワーク７にそれぞれ通信可能に接続された、鍵情報送信部２０ａ及び鍵情報受信部３０ａからなる鍵装置２ａと、複数の認証装置４ａ，４ｂ，…と、複数の扉装置５ａ，５ｂ，…とを備える。複数の扉装置５ａ，５ｂ，…は、セキュリティを保護すべき対象についてのアクセスを制限する。鍵装置２ａは、扉装置５ａ，５ｂ，…のアクセスの制限、非制限を制御する。第１の実施の形態に係る認証システムは、鍵装置２ａ、認証装置４ａ、及び扉装置５ａとをサブシステムとして有するが、図１に示すように、他のサブシステムは、鍵情報受信部３０ｂ、認証装置４ｂ、及び扉装置５ｂから構成されても良い。
【００１６】
鍵情報送信部２０ａは、例えば、非接触型のカードキーであり、鍵情報２２を格納する記憶部２１と、鍵情報を無線送信する通信部２３とを備える。鍵情報２２は、図２に示すように、例えば「Ｋ１」を鍵情報として有する。
【００１７】
鍵情報受信部３０ａは、鍵情報送信部２０ａから送信される鍵情報を受信する通信部３８と、記憶部３５と、処理部３１と、ネットワーク７を介して外部と通信するＬＡＮインターフェース３９とを備える。鍵情報受信部３０ａは、例えば、カードキーである鍵情報送信部２０ａに対するカードリーダである。鍵情報受信部３０ａの記憶部３５は、各サブシステム内の鍵情報受信部３０ａ，３０ｂ，…と関連付けられた扉装置５ａ，５ｂ，…を識別する扉ＩＤ情報３６を格納する。扉ＩＤ情報３６は、図３（ａ）に示すように、例えば「Ｇ１」を扉ＩＤとして有する。鍵情報受信部３０ａの処理部３１は、通信部３８が受信した鍵情報を処理する鍵情報処理手段３２と、複数の認証装置４ａ，４ｂ，…に認証要求を送信する認証要求送信手段３３とを論理構成として有する。認証要求送信手段３３は、鍵情報送信部２０ａから受信した鍵情報、及び記憶部３５に格納された扉ＩＤ情報を、認証装置４ａ，４ｂ，…に認証要求として送信する。
【００１８】
なお、鍵情報受信部３０ｂは、鍵情報送信部２０ａから鍵情報を受信しても良く、図示を省略した他の鍵情報送信部から鍵情報を受信しても良い。鍵情報受信部３０ｂの記憶部（図示省略）に格納される扉ＩＤ情報は、図３（ｂ）に示すように、例えば「Ｇ２」を扉ＩＤとして有する。
【００１９】
認証装置４ａは、記憶部４５と、処理部４１と、ネットワーク７を介して外部と通信するＬＡＮインターフェース４９とを備える。記憶部４５は、扉ＩＤ情報及び鍵情報の組を複数有する認証情報４６と、複数の扉装置５ａ，５ｂ，…のネットワークアドレスを有する扉情報４７とを格納する。認証情報４６は、図４（ａ）に示すように、例えば「Ｇ１」及び「Ｋ２」の組、「Ｇ１」及び「Ｋ３」の組を、それぞれ認証可能な扉ＩＤ情報及び鍵情報の組として有する。扉情報４７は、図４（ａ）に示すように、例えば、認証情報４６に含まれる扉ＩＤ情報であるＧ１により特定される扉装置５ａのネットワークアドレスとして、「１９２．１６８．０．１」を有する。
【００２０】
複数の認証装置４ａ，４ｂ，…は、それぞれ、複数の認証装置４ａ，４ｂ，…が認証可能な扉ＩＤ情報及び鍵情報の組を有する認証情報と、複数の扉装置５ａ，５ｂ，…のネットワークアドレスを有する扉情報とを格納する記憶部を備える。認証装置４ｂの記憶部（図示省略）に格納される認証情報は、図４（ｂ）に示すように、例えば「Ｇ１」及び「Ｋ１」の組、「Ｇ２」及び「Ｋ１」の組、及び「Ｇ２」及び「Ｋ２」の組を、それぞれ認証可能な扉ＩＤ情報及び鍵情報の組として有する。認証装置４ｂの記憶部（図示省略）に格納される扉ＩＤ情報は、図４（ｂ）に示すように、例えば、認証情報に含まれる扉ＩＤ情報であるＧ１の他、Ｇ２により特定される扉装置５ｂのネットワークアドレスとして、「１９２．１６８．２．１」を有する。
【００２１】
処理部４１は、認証要求を送信した鍵装置２ａに対して認証が成立か否かを判定する認証判定手段４２と、認証判定手段４２が認証を成立と判定したことに応じて、扉装置５ａ，５ｂ，…に開扉要求を送信する開扉要求送信手段４３とを論理構成として有する。認証判定手段４２は、鍵装置２ａから送信された認証要求に含まれる扉ＩＤ情報及び鍵情報の組と同一の組が、認証情報４６に含まれる場合において、認証要求を送信した鍵装置２ａに対して認証を成立と判定する。開扉要求送信手段４３は、認証を成立と判定された鍵装置２ａが送信した認証要求に含まれる扉ＩＤ情報によって特定される扉装置５ａ，５ｂ，…に開扉要求を送信する。
【００２２】
扉装置５ａは、認証装置４ａ，４ｂ，…から送信された開扉要求に応じて扉装置５ａの開閉を制御する制御部５１と、ネットワーク７を介して外部と通信するＬＡＮインターフェース５２とを備える。
【００２３】
＜認証システムの動作＞
図５に示すシーケンス図を用いて、第１の実施の形態に係る認証システムの動作の一例を説明する。
【００２４】
（イ）先ず、ステップＳ１１において、鍵情報送信部２０ａは、記憶部２１が有する鍵情報「Ｋ１」を、通信部２３から鍵情報受信部３０ａに送信する。
【００２５】
（ロ）鍵情報受信部３０ａの通信部３８が鍵情報Ｋ１を受信すると、鍵情報Ｋ１は、鍵情報処理手段３２によって処理され、図示を省略した記憶部に格納される。認証要求送信手段３３は、鍵情報処理手段３２によって格納された鍵情報Ｋ１を読み出し、また、記憶部３５が有する扉ＩＤ情報「Ｇ１」を読み出し、鍵情報Ｋ１及び扉ＩＤ情報Ｇ１を含む認証要求ｐ（Ｇ１，Ｋ１）を生成する。認証要求送信手段３３は、ステップＳ１２において、ネットワーク７を介して、それぞれ複数の認証装置４ａ，４ｂ，…に認証要求ｐ（Ｇ１，Ｋ１）をブロードキャストで送信する。
【００２６】
（ハ）複数の認証装置４ａ，４ｂ，…は、それぞれ、認証要求ｐ（Ｇ１，Ｋ１）を受信すると、認証要求ｐ（Ｇ１，Ｋ１）を送信した鍵装置２ａに対し、認証の可否を判定する。認証装置４ａの認証判定手段４２は、図４（ａ）に示すように、認証情報４６が認証要求ｐ（Ｇ１，Ｋ１）に含まれる扉ＩＤ情報Ｇ１及び鍵情報Ｋ１の組と合致する組を有していないので、認証を不成立と判定する。認証装置４ｂの認証判定手段（図示省略）は、図４（ｂ）に示すように、認証情報が認証要求ｐ（Ｇ１，Ｋ１）に含まれる扉ＩＤ情報Ｇ１及び鍵情報Ｋ１の組と合致する組を有しているので認証を成立と判定する。
【００２７】
（ニ）認証装置４ｂは、認証装置４ｂの認証判定手段が認証を成立と判定したことに応じて、ステップＳ１３において、扉装置５ａに開扉要求ｑ（Ｇ１）を送信する。すなわち、認証装置４ｂの開扉要求送信手段（図示省略）は、認証装置４ｂが有する扉情報を参照し、認証要求ｐ（Ｇ１，Ｋ１）に含まれる扉ＩＤ情報であるＧ１により特定される扉装置５ａのネットワークアドレス宛に、開扉要求ｑ（Ｇ１）を送信する。
【００２８】
＜認証装置の動作＞
図６に示すフローチャートを用いて、本発明の第１の実施の形態に係る認証システムが備える認証装置４ａの動作の一例を説明する。
【００２９】
（イ）先ず、ステップＳ２１において、認証装置４ａの処理部４１は、鍵装置２ａから送信された認証要求ｐ（Ｇ１，Ｋ１）を、ＬＡＮインターフェース４９を介して受信する。
【００３０】
（ロ）ステップＳ２２において、認証判定手段４２は、記憶部４５の認証情報４６を参照し、受信した認証要求ｐ（Ｇ１，Ｋ１）に含まれる扉ＩＤ情報及び鍵情報の組と合致する組を検索する。認証判定手段４２は、認証情報４６が、受信した認証要求ｐ（Ｇ１，Ｋ１）に含まれる扉ＩＤ情報及び鍵情報の組と合致する組を有する場合は、認証要求ｐ（Ｇ１，Ｋ１）を送信した鍵装置に対する認証を成立と判定し、ステップＳ２３に進む。認証情報４６が、受信した認証要求ｐ（Ｇ１，Ｋ１）に含まれる扉ＩＤ情報及び鍵情報の組と合致する組を有しない場合は、認証要求ｐ（Ｇ１，Ｋ１）を送信した鍵装置に対する認証を不成立と判定し、終了する。
【００３１】
（ハ）認証判定手段４２により認証が成立と判定された場合、ステップＳ２３において、開扉要求送信手段４３は、受信した認証要求ｐ（Ｇ１，Ｋ１）に含まれる扉ＩＤ情報によって特定される扉装置のネットワークアドレス宛に、開扉要求ｑ（Ｇ１）を送信する。
【００３２】
第１の実施の形態に係る認証システムによれば、複数の認証装置がそれぞれ認証情報を有し、鍵装置が複数の認証装置に認証要求を送信することによって、開扉する扉装置と異なるサブシステムに接続される認証装置において認証処理をすることができる。よって、認証装置のリソースの制約などにより、認証装置に認証情報を入力できない場合であっても、他のサブシステムの認証装置が認証処理を代行することで、鍵装置に対する認証処理が可能である。また、複数の認証装置がそれぞれ認証情報を有することで、認証装置の何れかが故障等の不具合を生じた場合においても、他の認証装置が認証処理を代行することができ、可用性を向上することができる。
【００３３】
（第２の実施の形態）
本発明の第２の実施の形態に係る認証システムは、図７に示すように、登録サーバ６を更に備える他、認証装置４ａの、処理部４１が登録要求送信手段４４を更に有し、記憶部４５が登録サーバ情報４８を更に格納する点等で第１の実施の形態と異なる。
【００３４】
認証装置４ａの記憶部４５に格納される登録サーバ情報４８は、図８（ａ）に示すように、例えば「１９２．１６８．０．２００」を登録サーバ６のネットワークアドレスとして有する。同様に、認証装置４ｂの記憶部（図示省略）に格納される登録サーバ情報は、図８（ｂ）に示すように、例えば「１９２．１６８．０．２００」を登録サーバ６のネットワークアドレスとして有する。認証装置４ａの登録要求送信手段４４は、登録サーバ情報４８に格納された登録サーバ６のネットワークアドレス宛に、認証装置４ａ自身のＩＤを含む登録要求を送信する。
【００３５】
登録サーバ６は、鍵装置２ａ、認証装置４ａ、及び扉装置５ａからなるサブシステム内に接続され、鍵情報受信部３０ｂ、認証装置４ｂ、扉装置５ｂからなるサブシステム等、他のサブシステムとは、ルータ８を介して接続されている。
【００３６】
登録サーバ６は、記憶部６５と、処理部６１と、ネットワーク７を介して外部と通信するＬＡＮインターフェース６９とを備える。記憶部６５は、第２の実施の形態に係る認証システムが備える認証装置、鍵装置等の、ＩＤ及びネットワークアドレスを有する登録情報６６を格納する。登録情報６６は、図９に示すように、例えば、ＩＤ「Ａ１」により特定される認証装置４ａのネットワークアドレスとして、「１９２．１６８．０．１００」を有する。登録情報６６は、他にＩＤ「Ａ２」により特定される認証装置４ｂのネットワークアドレス「１９２．１６８．１．１００」を有する。また、ＩＤ「ＣＲ１」により特定される鍵情報受信部３０ａ又は鍵装置２ａのネットワークアドレス「１９２．１６８．１．１０１」を有する。
【００３７】
処理部６１は、登録要求を送信した装置に関して登録情報６６への登録をする登録手段６２と、認証装置４ａ，４ｂ，…に認証要求を送信する認証要求送信手段６３とを論理構成として有する。認証要求送信手段６３は、鍵装置２ａから受信した、鍵情報及び扉ＩＤ情報を含む認証要求を受信し、受信した認証要求を登録情報６６に登録されているそれぞれ複数の認証装置４ａ，４ｂ，…に送信する。
【００３８】
また、第２の実施の形態に係る認証システムが備える鍵情報受信部３０ａの認証要求送信手段３３は、認証要求ｐ（Ｇ１，Ｋ１）を登録サーバ６に送信する機能を有する点が第１の実施の形態と異なる。この為、第２の実施の形態に係る認証システムが備える鍵情報受信部３０ａの記憶部３５は、登録サーバ６のネットワークアドレスを登録サーバ情報（図示省略）として格納する。
【００３９】
第２の実施の形態において説明しない他の構成は、図１〜図４を用いて説明した第１の実施の形態に係る認証システムと実質的に同様であるので、重複する説明を省略する。
【００４０】
＜認証システムの動作＞
図１０に示すシーケンス図を用いて、第２の実施の形態に係る認証システムの動作の一例を説明する。
【００４１】
（イ）先ず、ステップＳ３１において、認証装置４ａの登録要求送信手段４４は、登録サーバ６に、認証装置４ａ自身の装置ＩＤを含む登録要求ｒ（Ａ１）を送信する。また、ステップＳ３２において、認証装置４ｂの登録要求送信手段（図示省略）は、登録サーバ６に、認証装置４ｂ自身のＩＤを含む登録要求ｒ（Ａ２）を送信する。登録サーバ６の登録手段６２は、複数の認証装置４ａ，４ｂ，…からそれぞれ登録要求ｒを受信すると、登録要求ｒに含まれる装置ＩＤ、認証装置のネットワークアドレスを登録情報６６として登録する。
【００４２】
（ロ）ステップＳ３３において、鍵情報送信部２０ａは、記憶部２１が有する鍵情報Ｋ１を鍵情報受信部３０ａに送信する。鍵情報受信部３０ａが鍵情報Ｋ１を受信すると、認証要求送信手段３３は、鍵情報Ｋ１及び扉ＩＤ情報Ｇ１を含む認証要求ｐ（Ｇ１，Ｋ１）を生成する。認証要求送信手段３３は、ステップＳ３４において、登録サーバ６に認証要求ｐ（Ｇ１，Ｋ１）を送信する。
【００４３】
（ハ）登録サーバ６の認証要求送信手段６３は、認証装置４ａから送信された認証要求ｐ（Ｇ１，Ｋ１）を受信すると、記憶部６５から登録情報６６を読み出す。認証要求送信手段６３は、ステップＳ３５において、登録情報６６に登録されている複数の認証装置４ａ，４ｂ，…に宛て、それぞれ認証要求ｐ（Ｇ１，Ｋ１）を送信する。
【００４４】
以降の動作は、第１の実施の形態に係る認証システムの動作の、ステップＳ１２において送信された認証要求ｐ（Ｇ１，Ｋ１）を、複数の認証装置４ａ，４ｂ，…がそれぞれ受信した後の動作と実質的に同様であるので、重複する説明を省略する。
【００４５】
＜登録サーバの動作＞
図１１に示すフローチャートを用いて、本発明の第２の実施の形態に係る認証システムが備える登録サーバ６の動作の一例を説明する。
【００４６】
（イ）先ず、ステップＳ４１において、登録サーバ６は、認証装置４ａ，４ｂ，…から送信された登録要求ｒを、ネットワーク７を介して受信する。
【００４７】
（ロ）ステップＳ４２において、登録手段６２は、記憶部６５の登録情報６６を参照し、登録情報６６が、受信した登録要求ｒに含まれる装置ＩＤと合致するＩＤを有するか否か判定する。登録情報６６が登録要求ｒに含まれる装置ＩＤと合致するＩＤを有さない場合、ステップＳ４３に進み、登録手段６２は、登録要求ｒに含まれる装置ＩＤ、及び登録要求ｒの送信元アドレスを登録情報６６に新たに登録する。
【００４８】
（ハ）登録情報６６が登録要求ｒに含まれる装置ＩＤと合致するＩＤを有する場合、ステップＳ４４に進み、登録手段６２は、登録情報６６の、登録要求ｒに含まれる装置ＩＤと合致するＩＤと関連付けられたネットワークアドレスを、登録要求ｒの送信元アドレスに更新し、終了する。
【００４９】
第２の実施の形態に係る認証システムによれば、複数の認証装置がそれぞれ認証情報を有し、登録サーバが複数の認証装置に認証要求を送信することによって、開扉する扉装置と異なるサブシステムに接続される認証装置において認証処理をすることができる。よって、認証装置のリソースの制約などにより、認証装置に認証情報を入力できない場合であっても、他のサブシステムの認証装置が認証処理を代行することで、鍵装置に対する認証処理が可能である。また、複数の認証装置がそれぞれ認証情報を有することで、認証装置の何れかが故障等の不具合を生じた場合においても、他の認証装置が認証処理を代行することができ、可用性を向上することができる。
【００５０】
また、第２の実施の形態に係る認証システムによれば、例えば、ルータを介した認証装置に鍵装置からブロードキャストで認証要求を送信し、認証装置が認証要求を受信できないような場合であっても、登録サーバがそれぞれ複数の認証装置のネットワークアドレスを有し、認証要求送信手段を有するので、複数の認証装置に認証要求を送信することができる。
【００５１】
（第３の実施の形態）
本発明の第３の実施の形態に係る認証システムは、図１２に示すように、鍵情報受信部３０ａが、開扉する扉装置５ａ，５ｂ，…を指定する扉選択インターフェース３４を備える点等で、第１の実施の形態に係る認証システムと異なる。
【００５２】
扉選択インターフェース３４は、例えば、プッシュボタン、表示装置の画面上の領域に入力部を設けるタッチパネル等の入力装置とすることができる。扉選択インターフェース３４は、複数の扉装置５ａ，５ｂ，…のうち、開扉を要求する扉装置をユーザに選択させ、ユーザからの入力により、開扉を要求する扉装置を指定することができる。この為、第３の実施の形態に係る認証システムに用いる鍵装置２ａの、鍵情報受信部３０ａの記憶部３５に格納される扉ＩＤ情報３６は、複数の扉装置５ａ，５ｂ，…をそれぞれ特定する扉ＩＤ情報を有する。
【００５３】
鍵情報受信部３０ａの処理部３１は、鍵情報送信部２０ａから送信された鍵情報と、扉選択インターフェース３４によって指定された扉装置を特定する扉ＩＤ情報とを含む認証要求を、複数の認証装置４ａ，４ｂ，…に送信する。
【００５４】
第３の実施の形態において説明しない他の構成は、図１〜図４を用いて説明した第１の実施の形態に係る認証システムと実質的に同様であるので、重複する説明を省略する。
【００５５】
＜認証システムの動作＞
図１３に示すシーケンス図を用いて、第３の実施の形態に係る認証システムの動作の一例を説明する。
【００５６】
（イ）先ず、ステップＳ５１において、鍵情報送信部２０ａは、記憶部２１が有する鍵情報「Ｋ１」を、通信部２３から鍵情報受信部３０ａに送信する。また、鍵情報受信部３０ａは、例えば、扉選択インターフェース３４によって指定された扉装置５ｂを特定する扉ＩＤ情報「Ｇ２」を読み出す。
【００５７】
（ロ）鍵情報受信部３０ａの通信部３８が鍵情報Ｋ１を受信すると、鍵情報Ｋ１は、鍵情報処理手段３２によって処理され、図示を省略した記憶部に格納される。認証要求送信手段３３は、鍵情報処理手段３２によって格納された鍵情報Ｋ１を読み出し、また、扉選択インターフェース３４によって指定された扉装置を特定する扉ＩＤ情報Ｇ２を読み出し、鍵情報Ｋ１及び扉ＩＤ情報Ｇ２を含む認証要求ｐ（Ｇ２，Ｋ１）を生成する。認証要求送信手段３３は、ステップＳ５２において、ネットワーク７を介して、それぞれ複数の認証装置４ａ，４ｂ，…に認証要求ｐ（Ｇ２，Ｋ１）をブロードキャストで送信する。
【００５８】
（ハ）複数の認証装置４ａ，４ｂ，…は、それぞれ、認証要求ｐ（Ｇ２，Ｋ１）を受信すると、認証要求ｐ（Ｇ２，Ｋ１）を送信した鍵装置２ａに対し、認証の可否を判定する。認証装置４ａの認証判定手段４２は、図４（ａ）に示すように、認証要求ｐ（Ｇ２，Ｋ１）に含まれる扉ＩＤ情報Ｇ２及び鍵情報Ｋ１の組と合致する組を有していないので、認証を不成立と判定する。認証装置４ｂの認証判定手段は、図４（ｂ）に示すように、認証要求ｐ（Ｇ２，Ｋ１）に含まれる扉ＩＤ情報Ｇ２及び鍵情報Ｋ１の組と合致する組を有しているので認証を成立と判定する。
【００５９】
（ニ）認証装置４ｂは、認証装置４ｂの認証判定手段が認証を成立と判定したことに応じて、ステップＳ５３において、扉選択インターフェース３４によって指定された扉装置５ｂに開扉要求ｑ（Ｇ２）を送信する。すなわち、認証装置４ｂの開扉要求送信手段は、認証装置４ｂが有する扉情報を参照し、認証要求ｐ（Ｇ２，Ｋ１）に含まれる扉ＩＤ情報であるＧ２により特定される扉装置５ａのネットワークアドレス宛に、開扉要求ｑ（Ｇ２）を送信する。
【００６０】
第３の実施の形態に係る認証システムによれば、複数の認証装置がそれぞれ認証情報を有し、鍵装置が複数の認証装置に認証要求を送信することによって、開扉する扉装置と異なるサブシステムに接続される認証装置において認証処理をすることができる。よって、認証装置のリソースの制約などにより、認証装置に認証情報を入力できない場合であっても、他のサブシステムの認証装置が認証処理を代行することで、鍵装置に対する認証処理が可能である。また、複数の認証装置がそれぞれ認証情報を有することで、認証装置の何れかが故障等の不具合を生じた場合においても、他の認証装置が認証処理を代行することができ、可用性を向上することができる。
【００６１】
また、第３の実施の形態に係る認証システムによれば、例えば、鍵装置の鍵情報受信部が故障等の不具合を生じた場合であっても、他の鍵情報受信部の扉選択インターフェースによって、開扉を要求する扉装置を選択し、認証要求を送信することができる。
【００６２】
（第４の実施の形態）
本発明の第４の実施の形態に係る認証システムは、鍵情報送信部２０ａ及び鍵情報受信部３０ａからなる鍵装置２ａを備えず、図１４に示すように、ネットワークインターフェースが、無線ＬＡＮインターフェース９１である一体の鍵装置９を備える点等で、第１〜第３の実施の形態と異なる。鍵装置９は、無線ＬＡＮのアクセスポイントである通信装置９０を介してネットワーク７に接続される。
【００６３】
鍵装置９は、記憶部９４と、扉選択インターフェース９７と、処理部９２と、外部と無線通信をする通信部である無線ＬＡＮインターフェース９１とを備える。鍵装置９の記憶部９４は、鍵情報９５と、扉ＩＤ情報９６とを格納する。鍵情報９５は、図１５に示すように、「Ｋ２」を鍵情報として有する。扉選択インターフェース９７は、複数の扉装置５ａ，５ｂ，…のうち、開扉を要求する扉装置をユーザに選択させ、ユーザからの入力により、開扉を要求する扉装置を指定する。処理部９２は、複数の認証装置４ａ，４ｂ，…に認証要求を送信する認証要求送信手段９３を論理構成として有する。認証要求送信手段９３は、記憶部に格納された鍵情報「Ｋ２」と、扉選択インターフェース９７によって指定された扉装置を特定する扉ＩＤ情報とを含む認証要求を、複数の認証装置４ａ，４ｂ，…に送信する。
【００６４】
第４の実施の形態において説明しない他の構成は、第３の実施の形態に係る認証システムと実質的に同様であるので、重複する説明を省略する。
【００６５】
＜認証システムの動作＞
図１６に示すシーケンス図を用いて、第４の実施の形態に係る認証システムの動作の一例を説明する。
【００６６】
（イ）先ず、ステップＳ６１において、鍵装置９の認証要求送信手段９３は、例えば、記憶部９５が有する鍵情報「Ｋ２」と、扉選択インターフェース９７によって指定された扉装置５ａを特定する扉ＩＤ情報「Ｇ１」とを読み出し、鍵情報「Ｋ２」と扉ＩＤ情報「Ｇ１」とを含む認証要求ｐ（Ｇ１，Ｋ２）を、通信装置９０を介して、複数の認証装置４ａ，４ｂ，…に送信する。
【００６７】
（ロ）複数の認証装置４ａ，４ｂ，…は、それぞれ、認証要求ｐ（Ｇ１，Ｋ２）を受信すると、認証要求ｐ（Ｇ１，Ｋ２）を送信した鍵装置９に対し、認証の可否を判定する。認証装置４ａの認証判定手段４２は、図４（ａ）に示すように、認証要求ｐ（Ｇ１，Ｋ２）に含まれる扉ＩＤ情報Ｇ１及び鍵情報Ｋ２の組と合致する組を有しているので認証を成立と判定する。認証装置４ｂの認証判定手段は、図４（ｂ）に示すように、認証要求ｐ（Ｇ１，Ｋ２）に含まれる扉ＩＤ情報Ｇ１及び鍵情報Ｋ２の組と合致する組を有していないので、認証を不成立と判定する。
【００６８】
（ハ）認証装置４ａの認証判定手段が認証を成立と判定したことに応じて、ステップＳ６２において、認証装置４ａの開扉要求送信手段は、受信した認証要求ｐ（Ｇ１，Ｋ２）に含まれる扉ＩＤ情報Ｇ１によって特定される扉装置５ａのネットワークアドレス宛に、開扉要求ｑ（Ｇ１）を送信する。
【００６９】
第４の実施の形態に係る認証システムによれば、複数の認証装置がそれぞれ認証情報を有し、鍵装置が複数の認証装置に認証要求を送信することによって、開扉する扉装置と異なるサブシステムに接続される認証装置において認証処理をすることができる。よって、認証装置のリソースの制約などにより、認証装置に認証情報を入力できない場合であっても、他のサブシステムの認証装置が認証処理を代行することで、鍵装置に対する認証処理が可能である。また、複数の認証装置がそれぞれ認証情報を有することで、認証装置の何れかが故障等の不具合を生じた場合においても、他の認証装置が認証処理を代行することができ、可用性を向上することができる。
【００７０】
また、第４の実施の形態に係る認証システムによれば、鍵装置、鍵情報受信部の設置場所に制約されることなく選択した扉装置の開扉をすることができ、利便性を向上できる。
【００７１】
（第５の実施の形態）
本発明の第５の実施の形態に係る認証システムは、図１７に示すように、扉装置５ａが、扉センサ５３、処理部５４、記憶部５８を備え、鍵装置９が表示インターフェース９８を備える点等で、第４の実施の形態と異なる。図示を省略しているが、第５の実施の形態に係る認証システムが備える他の認証装置、扉装置についても、第５の実施の形態に係る認証システムが備える認証装置４ａ、扉装置５ａ等と同様の構成である。
【００７２】
扉装置５ａの記憶部５８は、図１７に示すように、認証装置４ａの装置ＩＤ「Ａ１」及びネットワークアドレス「１９２．１６８．０．１」、認証装置４ｂの装置ＩＤ「Ａ２」及びネットワークアドレス「１９２．１６８．１．１」等を認証装置情報５９として格納する。扉センサ５３は、扉装置５ａの開閉を検知し、処理部５４に伝える。処理部５４が論理構成として有する開閉イベント送信手段５５は、扉センサ５３が扉装置５ａの開閉を検知すると、認証装置情報５９を参照し、開閉した扉装置を特定する扉ＩＤ情報を含む開閉イベント（開閉通知）ｓを、複数の認証装置４ａ，４ｂ，…のネットワークアドレス宛に送信する。
【００７３】
第５の実施の形態に係る認証システムに用いる複数の認証装置４ａ，４ｂ，…は、処理部４１が開閉イベント転送手段４０１を論理構成として更に有する。開閉イベント転送手段４０１は、扉装置から開閉イベントｓを受信すると、開閉イベントｓに含まれる扉ＩＤ情報と関連付けられている鍵情報が特定する鍵装置９に、開閉イベントｓを転送する。
【００７４】
第５の実施の形態に係る認証システムが備える鍵装置９は、開閉イベントｓを受信すると、表示インターフェース９８に、開閉イベントｓに含まれる扉ＩＤ情報が特定する扉装置が開閉したことを通知するメッセージを表示する。
【００７５】
第５の実施の形態において説明しない他の構成は、第４の実施の形態に係る認証システムと実質的に同様であるので、重複する説明を省略する。
【００７６】
＜認証システムの動作＞
図１９に示すシーケンス図を用いて、第５の実施の形態に係る認証システムの動作の一例を説明する。
【００７７】
（イ）先ず、ステップＳ７１において、扉装置５ｂの扉センサ（図示省略）が扉装置５ｂが開閉を検知したことに応じて、扉装置５ｂの開閉イベント送信手段は、認証装置情報を参照し、開閉した扉装置５ｂを特定する扉情報「Ｇ２」を含む開閉イベントｓ（Ｇ２）を、複数の認証装置４ａ，４ｂ，…に送信する。
【００７８】
（ロ）複数の認証装置４ａ，４ｂ，…は、それぞれ、開閉イベントｓ（Ｇ２）を受信すると、開閉イベントｓ（Ｇ２）に含まれる扉ＩＤ情報Ｇ２と関連付けられている鍵装置に開閉イベントｓ（Ｇ２）を転送する。認証装置４ａの開閉イベント転送手段４０１は、図４（ａ）に示すように、開閉イベントｓ（Ｇ２）に含まれる扉ＩＤ情報Ｇ２と組になっている鍵情報を有していないので、開閉イベントｓ（Ｇ２）を転送しない。認証装置４ｂの開閉イベント転送手段（図示省略）は、図４（ｂ）に示すように、開閉イベントｓ（Ｇ２）に含まれる扉ＩＤ情報Ｇ２と組になっている鍵情報Ｋ２を有しているので、ステップＳ７２において、開閉イベントｓ（Ｇ２）を、鍵情報Ｋ２が特定する鍵装置９に転送する。
【００７９】
（ハ）鍵装置９は開閉イベントｓ（Ｇ２）を受信すると、開閉イベントｓ（Ｇ２）に含まれる扉ＩＤ情報Ｇ２が特定する扉装置５ｂが開閉されたことを通知するメッセージを、表示インターフェース９８に表示する。
【００８０】
第５の実施の形態において説明しない他の動作は、第４の実施の形態に係る認証システムの動作と実質的に同様であるので、重複する説明を省略する。
【００８１】
第５の実施の形態に係る認証システムによれば、複数の認証装置がそれぞれ認証情報を有し、鍵装置が複数の認証装置に認証要求を送信することによって、開扉する扉装置と異なるサブシステムに接続される認証装置において認証処理をすることができる。よって、認証装置のリソースの制約などにより、認証装置に認証情報を入力できない場合であっても、他のサブシステムの認証装置が認証処理を代行することで、鍵装置に対する認証処理が可能である。
【００８２】
また、第５の実施の形態に係る認証システムによれば、複数の扉装置が扉センサを有し、複数の認証装置が、扉装置に関連付けられている鍵装置に開閉を通知することができるので、鍵装置の保有者が、関連付けられている扉装置の開閉を認識することができ、セキュリティ性を向上できる。
【００８３】
（第６の実施の形態）
本発明の第６の実施の形態に係る認証システムは、図２０に示すように、認証装置４ａが、開扉要求イベント転送手段４０２を有し、扉装置５ａの処理部５４が、開扉要求イベント送信手段５６を有し、開扉要求インターフェース５７を備える点で、第５の実施の形態と異なる。
【００８４】
開扉要求インターフェース５７は、入退室者による扉装置の開扉の要求として、入退室者からの入力を検知し、処理部５４に伝える。処理部５４が論理構成として備える開扉要求イベント送信手段５６は、開扉要求インターフェース５７への入力を検知すると、認証装置情報５９を参照し、複数の認証装置４ａ，４ｂ，…に、当該扉ＩＤ情報を含む開扉要求イベント（開扉要求通知）ｔを送信する。
【００８５】
認証装置４ａの開扉要求イベント転送手段４０２は、開扉要求イベントｔを受信すると、開扉要求イベントｔに含まれる扉ＩＤ情報と関連付けられている鍵情報が特定する鍵装置９に、開扉要求イベントｔを転送する。
【００８６】
第６の実施の形態に係る認証システムが備える鍵装置９は、開扉要求イベントｔを受信すると、表示インターフェース９８に、開扉要求イベントｔに含まれる扉ＩＤ情報が特定する扉装置が開扉を要求されていることを通知するメッセージを表示する。開扉要求インターフェース５７として更にカメラを備え、撮像した画像を表示インターフェース９８に表示するようにしても良い。
【００８７】
第６の実施の形態において説明しない他の構成は、第４の実施の形態に係る認証システムと実質的に同様であるので、重複する説明を省略する。
【００８８】
＜認証システムの動作＞
図２１に示すシーケンス図を用いて、第６の実施の形態に係る認証システムの動作の一例を説明する。
【００８９】
（イ）先ず、ステップＳ８１において、扉装置５ｂの開扉要求インターフェース（図示省略）が扉装置５ｂの開扉の要求を検知したことに応じて、扉装置５ｂの開扉要求イベント送信手段は、認証装置情報を参照し、開閉した扉装置５ｂを特定する扉情報「Ｇ２」を含む開扉要求イベントｔ（Ｇ２）を、複数の認証装置４ａ，４ｂ，…に送信する。
【００９０】
（ロ）複数の認証装置４ａ，４ｂ，…は、それぞれ、開扉要求イベントｔ（Ｇ２）を受信すると、開扉要求イベントｔ（Ｇ２）に含まれる扉ＩＤ情報Ｇ２と関連付けられている鍵装置に開扉要求イベントｔ（Ｇ２）を転送する。認証装置４ａの開扉要求イベント転送手段４０２は、図４（ａ）に示すように、開扉要求イベントｔ（Ｇ２）に含まれる扉ＩＤ情報Ｇ２と組になっている鍵情報を有していないので、開扉要求イベントｔ（Ｇ２）を転送しない。認証装置４ｂの開閉イベント転送手段（図示省略）は、図４（ｂ）に示すように、開扉要求イベントｔ（Ｇ２）に含まれる扉ＩＤ情報Ｇ２と組になっている鍵情報Ｋ２を有しているので、ステップＳ８２において、開扉要求イベントｔ（Ｇ２）を、鍵情報Ｋ２が特定する鍵装置９に転送する。
【００９１】
（ハ）鍵装置９は開扉要求イベントｔ（Ｇ２）を受信すると、開扉要求イベントｔ（Ｇ２）に含まれる扉ＩＤ情報Ｇ２が特定する扉装置５ｂが開扉を要求されたことを通知するメッセージを、表示インターフェース９８に表示する。ステップＳ８３において、鍵装置９の認証要求送信手段９３は、ユーザからの入力により、鍵情報「Ｋ２」と扉ＩＤ情報「Ｇ２」とを含む認証要求ｐ（Ｇ２，Ｋ２）を、通信装置９０を介して、複数の認証装置４ａ，４ｂ，…に送信する。
【００９２】
以降の動作は、第４の実施の形態に係る認証システムの動作の、ステップＳ６１において送信された認証要求ｐ（Ｇ１，Ｋ２）を、複数の認証装置４ａ，４ｂ，…がそれぞれ受信した後の動作と実質的に同様であるので、重複する説明を省略する。
【００９３】
第６の実施の形態に係る認証システムによれば、複数の認証装置がそれぞれ認証情報を有し、鍵装置が複数の認証装置に認証要求を送信することによって、開扉する扉装置と異なるサブシステムに接続される認証装置において認証処理をすることができる。よって、認証装置のリソースの制約などにより、認証装置に認証情報を入力できない場合であっても、他のサブシステムの認証装置が認証処理を代行することで、鍵装置に対する認証処理が可能である。
【００９４】
また、第６の実施の形態に係る認証システムによれば、複数の扉装置が開扉要求インターフェースを有し、複数の認証装置が、扉装置に関連付けられている鍵装置に開扉の要求を通知することができるので、来客時など、鍵装置の保有者が、関連付けられている扉装置の開扉を操作することができる。
【００９５】
（その他の実施の形態）
上記のように、本発明は第１〜第６の実施の形態によって記載したが、この開示の一部をなす論述及び図面は本発明を限定するものであると理解すべきではない。この開示から当業者には様々な代替実施の形態、実施例及び運用技術が明らかとなろう。このように、本発明はここでは記載していない様々な実施の形態等を含むことは勿論である。したがって、本発明の技術的範囲は上記の説明から妥当な特許請求の範囲に係る発明特定事項によってのみ定められるものである。
【符号の説明】
【００９６】
２ａ，９…鍵装置
４ａ，４ｂ，…認証装置
５ａ，５ｂ，…扉装置
６…登録サーバ
７…ネットワーク
８…ルータ
２０ａ…鍵情報送信部
２１，３５，４５，５８，６５，９４…記憶部
２２，９５…鍵情報
２３，３８…通信部
３０ａ，３０ｂ，…鍵情報受信部
３１，４１，５４，６１，９２…処理部
３２…鍵情報処理手段
３３，９３…認証要求送信手段
３４…扉選択インターフェース
３６，９６…扉ＩＤ情報
３９，４９，５２，６９…ＬＡＮインターフェース
４２…認証判定手段
４３…開扉要求送信手段
４４…登録要求送信手段
４６…認証情報
４７…扉情報
４８…登録サーバ情報
５１…制御部
５３…扉センサ
５５…開閉イベント送信手段
５６…開扉要求イベント送信手段
５７…開扉要求インターフェース
５９…認証装置情報
６２…登録手段
６３…認証要求送信手段
６６…登録情報
９０…通信装置
９１…無線ＬＡＮインターフェース
９７…扉選択インターフェース
９８…表示インターフェース
４０１…開閉イベント転送手段
４０２…開扉要求イベント転送手段
【図１】
2012026223.tif 000003
【図２】
2012026223.tif 000004
【図３】
2012026223.tif 000005
【図４】
2012026223.tif 000006
【図５】
2012026223.tif 000007
【図６】
2012026223.tif 000008
【図７】
2012026223.tif 000009
【図８】
2012026223.tif 000010
【図９】
2012026223.tif 000011
【図１０】
2012026223.tif 000012
【図１１】
2012026223.tif 000013
【図１２】
2012026223.tif 000014
【図１３】
2012026223.tif 000015
【図１４】
2012026223.tif 000016
【図１５】
2012026223.tif 000017
【図１６】
2012026223.tif 000018
【図１７】
2012026223.tif 000019
【図１８】
2012026223.tif 000020
【図１９】
2012026223.tif 000021
【図２０】
2012026223.tif 000022
【図２１】
2012026223.tif 000023